(57)【要約】【課題】音声のデジタル処理に関する設定を入力信号に対応して自動的に最適に行い、さらに映像信号の処理状態をも最適に設定して記録する装置を提供すること。【解決手段】入力した音声信号の音声形態（モノラル、ステレオ）を判別し、これに基づき自動的にデジタル音声処理方式（ＭＰＥＧ圧縮、リニアＰＣＭ）や圧縮映像データレートを設定する。そのため、音声形態に対応して設定すべきデジタル音声処理方式や映像データレートの対応テーブルを備える。【選択図】　図１
2004056536.tif 000002
【特許請求の範囲】
【請求項１】
入力した音声信号をデジタル処理して記録媒体に記録するデジタル信号記録装置において、
入力した音声信号の音声形態を判別する音声形態判別回路と、
上記入力した音声信号を複数通りのデジタル音声処理方式にてデジタル信号に変換可能なデジタル音声信号処理回路と、
上記デジタル音声信号処理回路の変換動作を制御する制御回路を備え、
該制御回路は、上記音声形態判別回路の判別結果に基づいて上記デジタル音声信号処理回路のデジタル音声処理方式を設定することを特徴とするデジタル信号記録装置。
【請求項２】
請求項１に記載のデジタル信号記録装置において、
前記音声形態に対応して設定する前記デジタル音声処理方式の関係を示す対応テーブルを記憶したメモリを備え、
前記制御回路は、上記メモリの対応テーブルを用いて、前記デジタル音声処理方式を設定することを特徴とするデジタル信号記録装置。
【請求項３】
請求項２に記載のデジタル信号記録装置において、
前記複数のデジタル音声処理方式には、圧縮符号化処理を伴う圧縮方式と、圧縮符号化処理を伴わない非圧縮方式を含むことを特徴とするデジタル信号記録装置。
【請求項４】
請求項３に記載のデジタル信号記録装置において、
前記メモリの対応テーブルには、前記圧縮方式のデジタル音声処理方式におけるデータレート情報が記憶されていることを特徴とするデジタル信号記録装置。
【請求項５】
請求項１に記載のデジタル信号記録装置において、
さらに入力した映像信号を複数通りの映像データレートのデジタル信号に圧縮変換可能なデジタル映像信号処理回路を備え、
前記制御回路は、前記音声形態判別回路の判別結果に基づいて前記デジタル音声信号処理回路のデジタル音声処理方式を設定するとともに、上記デジタル映像信号処理回路の映像データレートを設定し、
上記デジタル処理した映像信号を、前記音声信号とともに記録媒体に記録することを特徴とするデジタル信号記録装置。
【請求項６】
請求項５に記載のデジタル信号記録装置において、
前記音声形態に対応して設定する、前記デジタル音声処理方式とともに前記映像データレートの関係を示す対応テーブルを記憶したメモリを備え、
前記制御回路は、上記メモリの対応テーブルを用いて、前記デジタル音声処理方式と前記映像データレートとを設定することを特徴とするデジタル信号記録装置。
【発明の詳細な説明】
【０００１】
【発明の属する技術分野】
本発明は、受信したテレビジョン放送の音声形態に対応してその信号処理方式を自動的に設定して記録するデジタル信号記録装置に関する。
【０００２】
【従来の技術】
家庭用のテレビジョン信号の記録装置として、アナログ信号をデジタル信号に変換して、ビデオテープ、光ディスクまたはハードディスク等の記録媒体に記録する各種のデジタル信号記録装置が製品化されている。
【０００３】
これらの記録装置における音声のデジタル処理方式には、デジタル処理にデータの圧縮を伴うＭＰＥＧ（Ｍｏｖｉｎｇ　Ｐｉｃｔｕｒｅｓ　ａｎｄ　Ｅｘｐｅｒｔ　Ｇｒｏｕｐ、以下ＭＰＥＧと略す）方式や、データを圧縮しないリニアＰＣＭ（Ｐｕｌｓｅ　Ｃｏｄｅ　Ｍｏｄｕｌａｔｉｏｎ、以下リニアＰＣＭと略す）方式があり、リニアＰＣＭ方式を選択することでより高品質の記録ができる。
【０００４】
すなわち家庭用デジタルＶＴＲの音声のデジタル処理方式には、ＭＰＥＧ方式とリニアＰＣＭ方式が採用されており、ユーザはＭＰＥＧ方式とリニアＰＣＭ方式の２つの方式を同時に選択することもできるし、ＭＰＥＧ方式のみを選択することもできる。
【０００５】
また光ディスクを用いたＤＶＤ−ＲＷレコーダの音声のデジタル処理方式には、ＭＰＥＧ方式とは異なる圧縮方式とリニアＰＣＭ方式が採用されており、通常は圧縮方式が使用されるが、ユーザの選択によりリニアＰＣＭ方式で記録することもできる。
【０００６】
またこれらの装置では、ユーザが設定した音声のデジタル処理方式に基づいて、映像のデジタル処理のデータレートが記憶手段から読み取られ、映像信号のデジタル処理が行われて記録される。
【０００７】
【発明が解決しようとする課題】
上記従来の技術では、ユーザは受信しているテレビジョン番組を視聴し、その音声形態を確認した上で、番組毎にリニアＰＣＭ方式のＯＮ／ＯＦＦの設定と、音声圧縮方式についてのデータレートの設定を行う必要があり操作が煩雑であった。
【０００８】
また、上記操作を適切に行なわないと、機器の記録能力が十分発揮できない。例えば前述のデジタルＶＴＲにおいて、モノラル音声の設定のままでステレオ放送の音楽番組を記録する場合、リニアＰＣＭ方式による高品質の音声記録が行われない。また、ＭＰＥＧ方式とリニアＰＣＭ方式の両方の設定のままでモノラル音声の番組を記録する場合、音声データレートを過剰に増加させた分だけ映像データレートは減少し、映像の品質が低下する。
【０００９】
本発明の目的は、テレビジョン番組の記録に際し、音声のデジタル処理に関する設定を入力信号に対応して自動的に最適に行い、装置本来の能力を十分発揮できる記録装置を提供することにある。もうひとつの目的は、入力する音声信号に対応して、映像信号の処理状態をも最適に設定して記録することにある。
【００１０】
【課題を解決するための手段】
上記課題を解決するため、本発明のデジタル信号記録装置では、入力した音声信号の音声形態を判別する音声形態判別回路と、入力した音声信号を複数通りのデジタル音声処理方式にてデジタル信号に変換可能なデジタル音声信号処理回路と、デジタル音声信号処理回路の変換動作を制御する制御回路を備え、音声形態の判別結果に基づいてデジタル音声処理方式を設定する構成とした。そのため、音声形態に対応して設定するデジタル音声処理方式の関係を示す対応テーブルを記憶したメモリを備える。
【００１１】
また本発明では、入力した映像信号をデジタル処理して、音声信号とともに記録媒体に記録する装置であって、入力した映像信号を複数通りの映像データレートのデジタル信号に圧縮変換可能なデジタル映像信号処理回路を備え、音声形態の判別結果に基づいてデジタル音声処理方式を設定するとともに、映像データレートを設定する構成とした。
【００１２】
【発明の実施の形態】
図１は、本発明によるデジタル信号記録再生装置の一実施形態を示すブロック図である。アンテナ１からテレビジョン信号を受信し、チューナ２、音声復調回路３を経て音声信号を得る。音声形態判別回路４は音声形態を判別する。切換回路５は、記録時のデジタル信号処理方法の選択を自動で行なうか手動で行なうかを切り換える。また、切換回路５は入力切換動作と連動しており、外部入力が選択された場合は自動的に手動の状態となる。デジタル処理選択部６は、３つの音声形態を示すポジションが備えられており、切換回路５が手動の位置にある場合、選択されたポジションに対応した信号処理がなされる。制御回路７は、映像信号と音声信号のデジタル処理についての情報を管理し、各部回路の動作を制御する。
【００１３】
映像入力回路８には、チューナ２の映像出力または映像外部入力が接続され、映像Ａ／Ｄコンバータ１０は、アナログ映像信号をサンプリングしデジタル化する。音声入力回路９には、音声復調回路３の音声出力または音声外部入力が接続され、音声Ａ／Ｄコンバータ１１は、アナログ音声信号をデジタル化する。デジタル信号処理回路１２は、映像デジタル信号のＭＰＥＧエンコードと音声デジタル信号のＭＰＥＧエンコード及びリニアＰＣＭエンコード処理と、これらのデジタル信号の多重化及び各デコード処理を行う。多重化されたデジタル信号は、記録回路１３を介して回転ドラム１４に供給し、磁気テープ１５に記録する。磁気テープより再生された信号は、再生回路１６、デジタル信号処理回路１２を経て、映像Ｄ／Ａコンバータ１７にてアナログ映像信号に、また音声Ｄ／Ａコンバータ１８にてアナログ音声信号に変換する。入力部１９はデジタル処理についての情報を入力する。
【００１４】
メモリ２０は、記録時の音声と映像のデジタル処理情報と、再生時の音声出力としてＭＰＥＧ音声とリニアＰＣＭ音声のどちらを選択するかの音声選択情報を記憶する。メモリ記憶・読出回路２１は、入力部１９から入力される情報をメモリ２０に記憶させ、また必要に応じメモリ２０から読出した情報を制御回路７に送る。映像データレートテーブル２２には、映像信号をＭＰＥＧエンコードする際のデータレートの数値が予め記憶されており、このデータレートは音声の形態に応じて選択される。
【００１５】
次に、テレビジョン放送の音声形態について説明し、図１の実施形態の動作を説明する。テレビジョン放送で送られてくる音声信号にはいくつかの形態があり、用途に応じて使い分けられている。一般によく使われるのはモノラル信号であり一つの音声を再現できる。また外国のニュース番組や映画等には二ヶ国語による音声多重信号が使用され、この音声多重信号では２つの音声信号すなわち二カ国語の音声が得られる。さらに音楽番組にはステレオ信号が使用されることが多く複数の音声によるステレオ音声が再現できる。テレビジョン放送では音声帯域に多重制御信号が含まれており、この多重制御信号を判別することにより音声の形態を知ることができる。
【００１６】
音声の形態により音声信号の持つ情報量も異なるし、ユーザが求める音質等も異なるので、これらの音声信号をデジタル記録する際はそれぞれの音声形態に適したデジタル方式、サンプリング周波数、量子化ビット数およびデータレート等のデジタル信号処理上のパラメータを選択する必要がある。また、ここで説明するデジタルＶＴＲでは、テレビジョン信号はデジタル化された映像信号と音声信号および各種の制御信号を時分割多重にて形成されるデータストリームとして記録される。データストリームのデータレートは使用される装置の最大の記録データレートで制限されるので、音声のデータレートと映像のデータレートの配分を考慮し、音声の形態に適した音声と映像を再現できるように音声の形態毎に適正な映像信号のデータレートを算定し適正なデジタル信号処理をする必要がある。
【００１７】
テレビジョン放送を受信した時に、どのようにして音声形態が判別され、それに対応した音声のデジタル処理方式とその処理情報がメモリ２０から読み出されるか、更に、これに対応したデジタル映像信号のデータレートがデータレートテーブル２２から読み出され、これらの情報に基づきデジタル信号処理が行なわれるかについて、以下説明する。
【００１８】
まず、ユーザにより切換回路５は自動モードに設定され、次にアンテナ１で受けたテレビジョン放送をチューナ２で受信すると、音声検波信号と映像信号が得られる。この音声検波信号は音声復調回路３と音声形態判別回路４に供給される。音声形態判別回路４では、音声検波信号に含まれる５５．１２５ｋＨｚの副搬送波が復調されて音声の多重制御信号が検出される。この多重制御信号により受信した音声の形態がモノラルか音声多重かまたはステレオかが判別され、その情報に基づいて音声復調回路３により音声信号が復調される。また、音声形態判別回路４から音声の形態を示す音声形態信号が切換回路５を経由し制御回路７に送られる。
【００１９】
一方、切換回路５が手動の位置に設定された場合、ユーザがデジタル処理選択部６によりモノラル、音声多重およびステレオの３つの音声形態からひとつの音声形態を選択すると、デジタル処理選択部６から選択された音声形態信号が切換回路５を経由し制御回路７に送られる。
【００２０】
図２は、メモリ２０に記憶された、音声形態と対応付けたデジタル処理の方式と関係する処理情報の一例を示す。この他のデジタル処理情報であるサンプリング周波数、量子化ビット数等のデジタル処理情報についてもメモリ２０に記憶されており、本実施例ではＭＰＥＧ音声のサンプリング周波数は４８ｋＨｚ、量子化ビット数は１６ビットとし、同様にリニアＰＣＭのサンプリング周波数は４８ｋＨｚ、量子化ビット数は１６ビットとしている（図２での記載は省略）。メモリ２０には、デジタル処理情報として使用できる数値が予め記憶されており、入力部１９からこれらの数値が選択できる。図２のＭＰＥＧ音声選択欄の○印はＭＰＥＧ音声によるデジタル処理が行われることを示し、同様にリニアＰＣＭ選択欄の○印はリニアＰＣＭによるデジタル処理が行なわれる設定を示す。また×印は処理が行なわれないことを示す。これらについては入力部１９から新たに設定を入力することも解除することもできる。
【００２１】
図２においてＭＰＥＧ音声のデータレートは〔　〕で示した数値が選択されていることを示し、モノラルではデータレートは１９２ｋｂｐｓが設定されており、また音声多重では２つの音声を処理するのでデータレートは２５６ｋｂｐｓとしている。更にステレオでは高い音質が要求されるので３８４ｋｂｐｓに設定している。また、リニアＰＣＭについては音声形態がステレオの場合にデジタル処理が行なわれる設定である。メモリ２０に記憶されたデジタル処理に関するこれらの情報は、メモリ記憶・読出回路２１により読み出され制御回路７を通り映像データレートテーブル２２に送られる。映像データレートテーブル２２では、送られてきたデジタル処理情報に基づき対応する映像データレートが読み出される。
【００２２】
次に映像データレートについて説明する。デジタル化された映像信号と音声信号および各種の制御信号は、時分割多重にて形成されるデータストリームとして磁気テープ１５に記録される。データストリームのデータレートは最大記録データレートにより制限されるので、映像信号のデータレートは、この最大のデータレートからＭＰＥＧ音声データレートとリニアＰＣＭ音声データレートおよびデータストリームの基本情報が含まれるその他のデータレートを差し引いたものを越えることはできない。
【００２３】
本実施例における映像データレートの数値を示す。音声形態がモノラルの場合、音声方式はＭＰＥＧでありデータレートは１９２ｋｂｐｓとしており、映像データレートは１１．７Ｍｂｐｓとなる。また、音声の形態が音声多重の場合の音声方式はＭＰＥＧでありデータレートは２５６ｋｂｐｓとしているので、映像データレートは１１．６Ｍｂｐｓとなる。音声の形態がステレオの場合の音声方式はＭＰＥＧとリニアＰＣＭの２方式となりＭＰＥＧ方式の音声データレートは３８４ｋｂｐｓとし、リニアＰＣＭのデータレートは約２Ｍｂｐｓであるので映像データレートは９．５Ｍｂｐｓとなる。
【００２４】
映像データレートテーブル２２により読み出された映像データレートは制御回路７を通りデジタル信号処理回路１２に送られる。この映像データレート基づき映像Ａ／Ｄコンバータ１０からデジタル処理回路１２に送られたデジタル映像信号はＭＰＥＧ方式によりエンコードされる。同時に、メモリ２０から読み出されたデジタル処理情報に基づき音声Ａ／Ｄコンバータ１１から送られたデジタル音声信号は、ＭＰＥＧ方式のエンコード処理とリニアＰＣＭによるエンコード処理を受ける。
【００２５】
次に図３は、デジタル信号処理を行うデジタル信号処理回路１２の内部構成を示す。まず、デジタル信号の記録処理について説明する。ＭＰＥＧ映像エンコーダ２０１は、制御回路７から送られるＭＰＥＧ映像レート制御信号２１２により制御されており、音声の形態に対応した映像データレートを形成する。映像Ａ／Ｄコンバータ１０から出力されたデジタル映像信号２１１は、ＭＰＥＧ映像エンコーダ２０１により音声の形態に対応した映像データレートで圧縮されマルチプレクサ２０４に送られる。一方、音声Ａ／Ｄコンバータ１１から出力されたデジタル音声信号２１３は、ＭＰＥＧ音声エンコーダ２０２によりエンコードされる。ＭＰＥＧ音声エンコーダ２０２の音声データレートは、音声形態に応じてメモリ２０から読み出され制御回路７を経由して送られるＭＰＥＧ音声レート制御信号２１４により制御されており、デジタル音声信号２１３は音声形態に応じたＭＰＥＧ音声データレートでエンコードされ、マルチプレクサ２０４に送られる。音声形態がステレオの場合はリニアＰＣＭ音声エンコーダ２０３の状態を制御するリニアＰＣＭ制御信号２１５によりリニアＰＣＭ音声エンコーダ２０３が動作状態となり、デジタル音声信号２１３はリニアＰＣＭによりエンコードされ、マルチプレクサ２０４に送られる。
【００２６】
ＭＰＥＧ方式により圧縮処理されたデジタル映像信号とデジタル音声信号およびリニアＰＣＭによりデジタル処理されたリニアＰＣＭデジタル音声信号はマルチプレクサ２０４にて時分割多重化され、データストリーム記録信号２１６となり記録回路１３を経由しドラム１４によりテープ１５に記録される。以上のように本実施例では、デジタル映像信号のエンコードに際し、音声の形態に応じて映像のデータレートを変えて記録する。
【００２７】
次に、デジタル信号の再生処理について説明する。テープ１５よりドラム１４と再生回路１６を介して読み出されたデジタル再生信号は、デジタル信号処理回路１２内のデマルチプレクサ２０５によりＭＰＥＧ映像信号、ＭＰＥＧ音声信号およびリニアＰＣＭ音声信号に分離される。デジタル映像信号は、ＭＰＥＧ映像デコーダ２０６によりデコードされ、映像Ｄ／Ａコンバータ１７にてアナログの映像信号に変換され出力される。
【００２８】
ＭＰＥＧ音声信号またはリニアＰＣＭ音声信号は、後述のデコード音声制御信号２２４により、ＭＰＥＧ音声信号かリニアＰＣＭ音声信号のいずれかが選択され、音声デコーダ２０７に出力される。音声デコーダ２０７ではＭＰＥＧ音声デコーダの機能とリニアＰＣＭの機能を有し、ＭＰＥＧエンコード処理された音声信号が入力されれば自動的にＭＰＥＧデコードを行い、リニアＰＣＭエンコード処理された音声信号が入力されればリニアＰＣＭデコードをする。そして音声Ｄ／Ａコンバータ１８にてアナログの音声信号に変換され出力される。
【００２９】
ここで、上記のデコード音声制御信号２２４とこの制御信号による再生時のＭＰＥＧ音声とリニアＰＣＭ音声の選択について説明する。ユーザは入力部１９を操作することにより再生時の音声としてＭＰＥＧ音声かリニアＰＣＭ音声のどちらを選択するかの選択情報をメモリ２０に記憶する。再生時に、この選択情報がメモリ２０より読出され、制御回路７を経由して、デジタル信号処理回路１２内のデマルチプレクサ２０５にデコード音声制御信号２２４として送られる。デマルチプレクサ２０５では、制御回路７より送られたデコード音声制御信号２２４に応じて、データストリーム再生信号２２１中のＭＰＥＧ音声信号もしくはリニアＰＣＭ音声信号を選択して、音声デコーダ２０７に出力する。
【００３０】
次に図４は、所定のデータレートで圧縮処理を行うＭＰＥＧ映像エンコーダ２０１の内部構成を示す。なおＭＰＥＧ映像エンコーダ２０１についてはＩｎｔｅｒｎａｔｉｏｎａｌ　Ｓｔａｎｄａｒｄ（ＩＳＯ／ＩＥＣ１３８１８−２）の規格として知られている。
【００３１】
映像Ａ／Ｄコンバータ１０から出力されるデジタル映像信号２１１は、前処理部４０１によりフレーム毎に３種類の画像タイプ（Ｉピクチャ、ＰピクチャおよびＢピクチャ）のどのタイプとして処理するかを指定され、当該フレーム画像の画像タイプに応じて符号化する順番に並べ替え８画素×８ラインのマクロブロックに分割し、マクロブロックデータとして出力される。
【００３２】
マクロブロックデータおよびフレームメモリ４０９に記憶されている参照画像データが動きベクトル検出部４１１に入力され各マクロブロックの動きベクトルデータが得られる。演算回路４０２ではその画像タイプに基づいて、イントラモード、順方向予測モード、逆方向予測モードまたは双方向予測モードのいずれかの予測モードの処理を行い伝送データを得る。
【００３３】
動き補償部４１０は、フレ−ムメモリ４０９の読み出しアドレスを動きベクトルデータに応じてずらし参照画像データを読み出し、これを順方向予測画像データあるいは逆方向予測画像データとして、演算回路４０２、演算回路４０８に供給する。
【００３４】
ＤＣＴ部（離散コサイン変換）４０３により演算回路４０２からの演算データに対してＤＣＴ処理が行なわれる。次に量子化部４０４によりＤＣＴ部４０３からのＤＣＴ係数データは量子化される。量子化は、制御回路７からデータレート制御部４０５へ送られる映像データレート制御信号２１２に基づいてデータレート制御部４０５から出力されるデータレートにより行なわれる。量子化部４０４から出力される量子化ＤＣＴデータは二つに分けられ、一方は可変長符号化部４１２にて符号化されＭＰＥＧ映像エンコードストリーム２１７となる。もうひとつの量子化ＤＣＴデータは、逆量子化部４０６により量子化部４０４から出力される量子化ＤＣＴデータに対し逆量子化される、更に逆ＤＣＴ部４０７により逆ＤＣＴ化される。逆ＤＣＴ化された演算データと動き補償部からの画像データは演算回路４０８にて加算されフレームメモリ４０９に記憶される。以上のように音声の形態に応じて算出される映像のデータレートによりデジタル映像信号のエンコードは行なわれる。
【００３５】
次に図５のフローチャートを用いて記録時の動作手順について説明する。最初にユーザがカセットテープ１５をＶＴＲに装着し（ステップＳ５０１）、スイッチ５を操作することによりデジタル信号処理方法の選択を自動で行なうか手動で行なうかの設定が行われる（ステップＳ５０２）。次に、切換回路５を手動に設定した時のデジタル信号処理方法がデジタル処理選択部６により設定される（ステップＳ５０３）。操作部２３により外部入力が設定された場合（ステップＳ５０４：ＹＥＳ）切換回路５は制御回路７により手動の位置に自動的に切り換えられ、デジタル処理選択部６で選択された音声形態が読み出され切換回路５を経由して制御に送られる（ステップＳ５０８）、入力がチューナ側に設定された場合（ステップＳ５０４：ＮＯ）次に切換回路５の出力に含まれる自動／手動の情報が制御回路７により読み取られ自動／手動が判定され手動の場合（ステップＳ５０５：ＮＯ）は上記ステップＳ５０８に移り、自動の場合（ステップＳ５０５：ＹＥＳ）で放送がチューナ２により受信されている場合（ステップＳ５０６：ＹＥＳ）は、音声形態判別回路４で音声形態が判別され音声形態信号が切換回路５を経由して制御回路７に送られる（ステップＳ５０７）。放送を受信できない場合（ステップＳ５０６：ＮＯ）ステップＳ５０８に移る。制御回路７では切換回路５経由で入力された音声形態信号を常時調べており、音声形態がステレオの場合（ステップＳ５０９：ＹＥＳ）、メモリ記憶・読出回路２１を経由してメモリ２０に記憶されたステレオに対応したデジタル処理情報が読み出される（ステップＳ５１１）。これらのデジタル処理情報には音声方式としてＭＰＥＧとリニアＰＣＭを使用すること、ＭＰＥＧ方式による音声のデータレートが３８４ｋｂｐｓであることが含まれており制御回路７を経由してデータレートテーブル２２に送られ、ここからスレテオに対応した映像データレートが読み出される（ステップＳ５１４）。
【００３６】
次に、音声形態信号が音声多重の場合（ステップＳ５０９：ＮＯ）かつ（ステップＳ５１０：ＹＥＳ）、メモリ２０に記憶された音声多重に対応したデジタル処理の情報が読み出される（ステップＳ５１２）。この場合音声方式はＭＰＥＧのみでＭＰＥＧ音声データトレートは２５６ｋｂｐｓを示す情報がデータレートテーブル２２に送られ、音声多重に対応した映像データレートが読み出される（ステップＳ５１４）。
【００３７】
また、音声形態信号がモノラルの場合（ステップＳ５０９：ＮＯ）かつ（ステップＳ５１０：ＮＯ）、メモリ２０に記憶されたモノラルに対応したデジタル処理の情報が読み出され（ステップＳ５１３）、音声方式はＭＰＥＧで音声データトレートは１９２ｋｂｐｓを示す情報がデータレートテーブル２２に送られ、モノラルに対応した映像データレートが読み出される（ステップＳ５１４）。
【００３８】
次にユーザが操作部２３で記録開始の操作することにより（ステップＳ５１５）記録が始まり（ステップＳ５１６）、番組が終了すると操作部２３により記録停止操作が行われ（ステップＳ５１７）記録は終了する。
【００３９】
本実施例では音声形態がステレオに対応する場合の映像データレートは約９．５Ｍｂｐｓとなり、モノラルに対応する場合の映像データレートは約１１．６Ｍｂｐｓとなので、２つの音声形態による映像データレートの差は２．１Ｍｂｐｓとなる。ステレオ音声の形態の場合に音声記録に割り当てるデータレートの中から２．１Ｍｂｐｓを映像記録に付け加えることにより、モノラル音声に求められる音質を満足させた上で、再生される映像信号の品質を向上することができる。映像データレートの増加は、複雑な映像がすばやく変化する場面において特に効果があり、動きの滑らかな高品質の映像を再現できる。
【００４０】
受信したテレビジョン放送の音声の形態を自動的に判別し、判別した音声形態に適したデジタル方式と音声データレートおよび映像データレートが自動的に設定されので、ユーザに操作上の負担をかけずに音声の形態に最適な品質の音声信号と映像信号を得ることできる。
【００４１】
本実施例では、テレビジョン放送を受信しスイッチ５が自動の位置に選択された場合について説明してきたが、映像信号と音声信号が外部入力として供給される場合は音声信号に音声の形態を示す多重制御信号を含まないので音声形態に応じてデジタル信号処理を自動設定することはできない。このような場合はスイッチ５を手動の位置として、希望するデジタル信号処理をデジタル処理選択部６により選択することできる。デジタル処理選択部６には映像の品質に重点を置いたモノラルのポジションと音声の品質に重点を置いたステレオのポジションと中間の性質を持つ音声多重の３つのポジションがあり、手動により選択できる。本実施例ではこれらの３つのポジションに対するデジタル信号処理の情報は、メモリ２０に記憶されておりスイッチ５が自動から手動に切り換えられた時とデジタル処理選択部６のポジションが変わった時メモリ２０記憶された情報が読み出されポジションに対応したデジタル信号処理により映像信号と音声信号の記録と再生が行われる。また、スイッチ５の自動／手動の選択と映像・音声の入力のチューナ入力／外部入力の選択は対応しているので利便性と機能の面から連動させるものとする。
【００４２】
以上説明した本発明の実施の形態は、記録媒体として磁気テープを使用する民生用のデジタルＶＴＲを例としたが、これに限定することなく、光ディスクまたはハードディスク等の記録媒体を用いた各種のデジタル記録装置でも適用できる。デジタル化された映像信号と音声信号の圧縮方式としＭＰＥＧ２を使用した場合を述べるが、これ以外の圧縮方式でも適用できる。
【００４３】
【発明の効果】
本発明によれば入力信号の音声形態に応じ、ユーザによる操作を要することなく音声を最適なデジタル処理方式で記録することができる。また、映像信号についても自動的に最適な処理状態に設定でき、装置の機能を十分に発揮できるという効果がある。
【図面の簡単な説明】
【図１】本発明を適用したデジタル信号記録再生装置の一実施形態を示すブロック図である。
【図２】図１のメモリ２０に記憶されたデジタル処理情報を示す。
【図３】図１のデジタル信号処理回路１２の内部構成を示すブロック図である。
【図４】図３のＭＰＥＧ映像エンコーダ２０１の内部構成を示すブロック図である。
【図５】本発明における記録時の動作手順を示すフローチャートである。
【符号の説明】
２…チューナ、３…音声復調回路、４…音声形態判別回路、５…切換回路、６…デジタル処理選択部、７…制御回路、１０…映像Ａ／Ｄコンバータ、１１…音声Ａ／Ｄコンバータ、１２…デジタル信号処理回路、１７…映像Ｄ／Ａコンバータ、１８…音声Ｄ／Ａコンバータ、２０…メモリ、２２…映像データレートテーブル
【図１】
2004056536.tif 000003
【図２】
2004056536.tif 000004
【図３】
2004056536.tif 000005
【図４】
2004056536.tif 000006
【図５】
2004056536.tif 000007